【手続補正書】
【提出日】令和1年6月4日(2019.6.4)
【手続補正１】
【補正対象書類名】特許請求の範囲
【補正対象項目名】全文
【補正方法】変更
【補正の内容】
【特許請求の範囲】
【請求項１】
ニュートラルホストネットワークにおいてサービス発見情報（ＳＤＩ）を通信するための方法であって、
プロセッサによって、前記ニュートラルホストネットワークに関連する基地局を検出することと、
トランシーバによって、前記基地局が前記ニュートラルホストネットワークについてのＳＤＩを送信するようにスケジュールされていることを示すＳＤＩインジケータを含む前記基地局によるブロードキャストについてキャリアを監視することと、
前記ＳＤＩインジケータに基づいて、前記基地局が後続のブロードキャスト中で前記ニュートラルホストネットワークのための前記ＳＤＩを送信するようにスケジュールされているかどうかを決定することと、
前記基地局が前記ＳＤＩをブロードキャストするようにスケジュールされていないことを前記ＳＤＩインジケータが示すと決定することに少なくとも部分的に基づいて、前記基地局が前記ＳＤＩをブロードキャストすることを要求するために、ＳＤＩ要求を前記基地局に送信することと、
前記トランシーバによっておよび前記ＳＤＩ要求を送信することに基づいて、前記基地局による前記後続のブロードキャスト中で前記ＳＤＩを受信することと
を備える、方法。
【請求項２】
前記基地局が前記ニュートラルホストネットワークに関連することを検出することは、前記ブロードキャスト中でニュートラルホストネットワーク情報を受信することをさらに備え、ここにおいて、前記ニュートラルホストネットワーク情報が、前記基地局を前記ニュートラルホストネットワークに関連するものとして識別する、請求項１に記載の方法。
【請求項３】
前記ＳＤＩ要求を送信することが、前記ＳＤＩ要求を示すための値を有する物理ランダムアクセスチャネル（ＰＲＡＣＨ）要求を送信することを備える、請求項１に記載の方法。
【請求項４】
前記ＳＤＩ要求を送信することに応答して、前記ＳＤＩについて前記基地局の送信されるブロードキャストチャネルを監視することと、
前記ブロードキャストチャネル上で前記ＳＤＩを受信することと
をさらに備える、請求項１に記載の方法。
【請求項５】
前記ＳＤＩを受信することが、部分的ＳＤＩを受信することを備え、
前記基地局とのユニキャスト接続を確立することと、
前記ユニキャスト接続上で送られる物理ランダムアクセスチャネル（ＰＲＡＣＨ）メッセージ中で追加のＳＤＩについての要求を前記基地局に送信することと、
前記ユニキャスト接続上で前記基地局から前記追加のＳＤＩを受信することと
をさらに備える、請求項１に記載の方法。
【請求項６】
前記部分的ＳＤＩが、前記ニュートラルホストネットワークをサポートする１つまたは複数のサービスプロバイダまたはモバイルネットワーク事業者パブリックランドモバイルネットワークのインジケーションを備え、前記追加のＳＤＩは、オンライン証明プロビジョニングが前記１つまたは複数のサービスプロバイダのために利用可能であるかどうか、前記１つまたは複数のサービスプロバイダがオンラインサインアップを提供するかどうか、前記基地局によって提供される１つまたは複数のサービス、前記基地局によって提供される１つまたは複数のアクセスポイント名、または前記１つまたは複数のサービスプロバイダのためのアイコンのインジケーションのうちの少なくとも１つまたは複数を備える、請求項５に記載の方法。
【請求項７】
前記ＳＤＩが、前記ニュートラルホストネットワークをサポートする１つまたは複数のサービスプロバイダまたはモバイルネットワーク事業者パブリックランドモバイルネットワークのインジケーションを備える、請求項１に記載の方法。
【請求項８】
前記ＳＤＩは、オンライン証明プロビジョニングが前記１つまたは複数のサービスプロバイダのために利用可能であるかどうか、前記１つまたは複数のサービスプロバイダがオンラインサインアップを提供するかどうか、前記基地局によって提供される１つまたは複数のサービス、前記基地局によって提供される１つまたは複数のアクセスポイント名、または前記１つまたは複数のサービスプロバイダのためのアイコンのインジケーションのうちの少なくとも１つまたは複数をさらに備える、請求項７に記載の方法。
【請求項９】
ワイヤレスアクセスのための１つまたは複数の基地局の選択を可能にするように構成されたユーザインターフェース上で与えられる前記１つまたは複数の基地局のリスト中に前記基地局を表示することをさらに備え、ここにおいて、１つまたは複数の基地局の前記リスト中に前記基地局を表示することが、前記ＳＤＩに少なくとも部分的に基づく、請求項１に記載の方法。
【請求項１０】
前記ユーザインターフェースを介した前記１つまたは複数の基地局の選択に基づいて、前記１つまたは複数の基地局との接続を開始することをさらに備える、請求項９に記載の方法。
【請求項１１】
前記ＳＤＩ中の好ましいサービスプロバイダまたは好ましいモバイルネットワーク事業者パブリックランドモバイルネットワークおよび対応する好ましいサービスを識別することと、
前記好ましいサービスプロバイダまたは前記好ましいモバイルネットワーク事業者パブリックランドモバイルネットワークおよび前記対応する好ましいサービスにアクセスするために、前記基地局との接続を開始することと
をさらに備える、請求項１に記載の方法。
【請求項１２】
前記キャリアを監視することは、前記基地局がＳＤＩを送信するようにスケジュールされていることを示す前記基地局によってブロードキャストされるシステム情報ブロックまたはマスタ情報ブロックについて前記キャリアを監視することを備える、請求項１に記載の方法。
【請求項１３】
ニュートラルホストネットワークにおいてサービス発見情報（ＳＤＩ）を通信するための装置であって、
トランシーバと、
前記ニュートラルホストネットワークにおいて信号を通信するためにバスを介して前記トランシーバと通信可能に結合された少なくとも１つのプロセッサと、
前記バスを介して前記少なくとも１つのプロセッサおよび／または前記トランシーバのうちの少なくとも１つと通信可能に結合されたメモリと
を備え、
ここにおいて、前記少なくとも１つのプロセッサは、
前記ニュートラルホストネットワークに関連する基地局を検出することと、
前記トランシーバを介して、前記基地局が前記ニュートラルホストネットワークについての前記ＳＤＩを送信するようにスケジュールされていることを示すＳＤＩインジケータを含む前記基地局によるブロードキャストについてキャリアを監視することと、
前記ＳＤＩインジケータに基づいて、前記基地局が後続のブロードキャスト中で前記ニュートラルホストネットワークのための前記ＳＤＩを送信するようにスケジュールされているかどうかを決定することと、
前記基地局が前記ＳＤＩをブロードキャストするようにスケジュールされていないことを前記ＳＤＩインジケータが示すと決定することに少なくとも部分的に基づいて、前記基地局が前記ＳＤＩをブロードキャストすることを要求するために、ＳＤＩ要求を前記基地局に送信することと、
前記トランシーバを介しておよび前記ＳＤＩ要求を送信することに基づいて、前記基地局による前記後続ののブロードキャスト中で前記ＳＤＩを受信することと
を行うように構成された、装置。
【請求項１４】
前記少なくとも１つのプロセッサは、前記ブロードキャスト中でニュートラルホストネットワーク情報を受信することに少なくとも部分的に基づいて、前記基地局が前記ニュートラルホストネットワークに関連することを検出するように構成され、ここにおいて、前記ニュートラルホストネットワーク情報が、前記基地局を前記ニュートラルホストネットワークに関連するものとして識別する、請求項１３に記載の装置。
【請求項１５】
前記少なくとも１つのプロセッサは、部分的ＳＤＩを受信するように構成され、
前記基地局とのユニキャスト接続を確立することと、
前記ユニキャスト接続上で送られる物理ランダムアクセスチャネル（ＰＲＡＣＨ）メッセージ中で追加のＳＤＩについての要求を前記基地局に送信することと、
前記ユニキャスト接続上で前記基地局から前記追加のＳＤＩを受信することと
を行うようにさらに構成された、請求項１３に記載の装置。
【請求項１６】
前記ＳＤＩが、前記ニュートラルホストネットワークをサポートする１つまたは複数のサービスプロバイダまたはモバイルネットワーク事業者パブリックランドモバイルネットワークのインジケーションを備える、請求項１３に記載の装置。
【請求項１７】
前記少なくとも１つのプロセッサは、ワイヤレスアクセスのための１つまたは複数の基地局の選択を可能にするように構成されたユーザインターフェース上で与えられる前記１つまたは複数の基地局のリスト中に前記基地局を表示するようにさらに構成され、ここにおいて、１つまたは複数の基地局の前記リスト中に前記基地局を表示することが、前記ＳＤＩに少なくとも部分的に基づく、請求項１３に記載の装置。
【請求項１８】
前記少なくとも１つのプロセッサが、
前記ＳＤＩ中の好ましいサービスプロバイダまたは好ましいモバイルネットワーク事業者パブリックランドモバイルネットワークおよび対応する好ましいサービスを識別することと、
前記好ましいサービスプロバイダまたは前記好ましいモバイルネットワーク事業者パブリックランドモバイルネットワークおよび前記対応する好ましいサービスにアクセスするために、前記基地局との接続を開始することと
を行うようにさらに構成された、請求項１３に記載の装置。
【請求項１９】
前記少なくとも１つのプロセッサは、前記基地局が前記ＳＤＩを送信するようにスケジュールされていることを示す前記基地局によってブロードキャストされるシステム情報ブロックまたはマスタ情報ブロックについて前記キャリアを監視するように構成された、請求項１３に記載の装置。
【請求項２０】
ニュートラルホストネットワークにおいてサービス発見情報（ＳＤＩ）を通信するための装置であって、
前記ニュートラルホストネットワークに関連する基地局を検出するための手段と、
前記基地局が前記ニュートラルホストネットワークについてのＳＤＩを送信するようにスケジュールされていることを示すＳＤＩインジケータを含む前記基地局によるブロードキャストについてキャリアを監視するための手段と、
前記ＳＤＩインジケータに基づいて、前記基地局が後続のブロードキャスト中で前記ニュートラルホストネットワークのための前記ＳＤＩを送信するようにスケジュールされているかどうかを決定するための手段と、
前記基地局が前記ＳＤＩをブロードキャストするようにスケジュールされていないことを前記ＳＤＩインジケータが示すと決定することに少なくとも部分的に基づいて、前記基地局が前記ＳＤＩをブロードキャストすることを要求するために、ＳＤＩ要求を前記基地局に送信するための手段と、
前記ＳＤＩ要求を送信することに基づいて、前記基地局による前記後続のブロードキャスト中で前記ＳＤＩを受信するための手段と
を備える、装置。
【請求項２１】
前記検出するための手段は、少なくとも部分的に、前記ブロードキャスト中でニュートラルホストネットワーク情報を受信することによって、前記ニュートラルホストネットワークに関連する基地局を検出し、前記ニュートラルホストネットワーク情報は、前記基地局を前記ニュートラルホストネットワークに関連するものとして識別する、請求項２０に記載の装置。
【請求項２２】
前記ＳＤＩを前記受信するための手段は、
部分的ＳＤＩを受信することと、
前記基地局とのユニキャスト接続を確立することと、
前記ユニキャスト接続上で送られる物理ランダムアクセスチャネル（ＰＲＡＣＨ）メッセージ中で追加のＳＤＩについての要求を前記基地局に送信することと、
前記ユニキャスト接続上で前記基地局から前記追加のＳＤＩを受信することと
を行うように構成される、請求項２０に記載の装置。
【請求項２３】
前記ＳＤＩが、前記ニュートラルホストネットワークをサポートする１つまたは複数のサービスプロバイダまたはモバイルネットワーク事業者パブリックランドモバイルネットワークのインジケーションを備える、請求項２０に記載の装置。
【請求項２４】
ニュートラルホストネットワークにおいてサービス発見情報（ＳＤＩ）を通信するための１つまたは複数のプロセッサによって実行可能なコードを備える、非一時的コンピュータ可読媒体であって、前記コードは、
前記ニュートラルホストネットワークに関連する基地局を検出するためのコードと、
前記基地局が前記ニュートラルホストネットワークについてのＳＤＩを送信するようにスケジュールされていることを示すＳＤＩインジケータを含む前記基地局によるブロードキャストについてキャリアを監視するためのコードと、
前記ＳＤＩインジケータに基づいて、前記基地局が後続のブロードキャスト中で前記ニュートラルホストネットワークのための前記ＳＤＩを送信するようにスケジュールされているかどうかを決定するためのコードと、
前記基地局が前記ＳＤＩをブロードキャストするようにスケジュールされていないことを前記ＳＤＩインジケータが示すと決定することに少なくとも部分的に基づいて、前記基地局が前記ＳＤＩをブロードキャストすることを要求するために、ＳＤＩ要求を前記基地局に送信するためのコードと、
前記ＳＤＩ要求を送信することに基づいて、前記基地局による前記後続のブロードキャスト中で前記ＳＤＩを受信するためのコードと
を備える、非一時的コンピュータ可読媒体。
【請求項２５】
前記検出するためのコードは、少なくとも部分的に、前記ブロードキャスト中でニュートラルホストネットワーク情報を受信することによって、前記ニュートラルホストネットワークに関連する基地局を検出し、前記ニュートラルホストネットワーク情報は、前記基地局を前記ニュートラルホストネットワークに関連するものとして識別する、請求項２４に記載の非一時的コンピュータ可読媒体。
【請求項２６】
前記ＳＤＩを前記受信するためのコードは、
部分的ＳＤＩを受信することと、
前記基地局とのユニキャスト接続を確立することと、
前記ユニキャスト接続上で送られる物理ランダムアクセスチャネル（ＰＲＡＣＨ）メッセージ中で追加のＳＤＩについての要求を前記基地局に送信することと、
前記ユニキャスト接続上で前記基地局から前記追加のＳＤＩを受信することと
を行うように構成される、請求項２４に記載の非一時的コンピュータ可読媒体。
【手続補正２】
【補正対象書類名】明細書
【補正対象項目名】００７４
【補正方法】変更
【補正の内容】
【００７４】
[0081]上記の開示は、例示的な態様および／または実施形態について論じたが、添付の特許請求の範囲によって定義された説明された態様および／または実施形態の範囲から逸脱することなく、様々な変更および改変が本明細書で行われ得ることに留意されたい。さらに、説明された態様および／または実施形態の要素は、単数形で説明または特許請求されていることがあるが、単数形への限定が明示的に述べられていない限り、複数形が企図される。さらに、任意の態様および／または実施形態の全部または一部は、別段に記載されていない限り、任意の他の態様および／または実施形態の全部または一部とともに利用され得る。
以下に、本願出願の当初の特許請求の範囲に記載された発明を付記する。
［Ｃ１］
ニュートラルホストネットワークにおいてサービス発見情報（ＳＤＩ）を通信するための方法であって、
プロセッサによって、前記ニュートラルホストネットワークに関連する基地局を検出することと、
トランシーバによって、前記基地局が前記ニュートラルホストネットワークについてのＳＤＩを送信するようにスケジュールされていることを示すＳＤＩインジケータを含む前記基地局によるブロードキャストについてキャリアを監視することと、
前記トランシーバによって、前記ＳＤＩインジケータに基づいて前記基地局による追加のブロードキャスト中で前記ＳＤＩを受信することと
を備える、方法。
［Ｃ２］
前記基地局が前記ニュートラルホストネットワークに関連することを検出することは、前記ブロードキャスト中でニュートラルホストネットワーク情報を受信することをさらに備え、ここにおいて、前記ニュートラルホストネットワーク情報が、前記基地局を前記ニュートラルホストネットワークに関連するものとして識別する、［Ｃ１］に記載の方法。
［Ｃ３］
前記基地局が前記ＳＤＩをブロードキャストするようにスケジュールされていないことを前記ＳＤＩインジケータが示すと決定することに少なくとも部分的に基づいて、前記ＳＤＩをブロードキャストするようにとのＳＤＩ要求を前記基地局に送信することさらに備える、［Ｃ１］に記載の方法。
［Ｃ４］
前記ＳＤＩ要求を送信することが、前記ＳＤＩ要求を示すための値を有する物理ランダムアクセスチャネル（ＰＲＡＣＨ）要求を送信することを備える、［Ｃ３］に記載の方法。
［Ｃ５］
前記ＳＤＩ要求を送信することに応答して、前記ＳＤＩについて前記基地局の送信されるブロードキャストチャネルを監視することと、
前記ブロードキャストチャネル上で前記ＳＤＩを受信することと
をさらに備える、［Ｃ３］に記載の方法。
［Ｃ６］
前記ＳＤＩを受信することが、部分的ＳＤＩを受信することを備え、
前記基地局とのユニキャスト接続を確立することと、
前記ユニキャスト接続上で送られる物理ランダムアクセスチャネル（ＰＲＡＣＨ）メッセージ中で追加のＳＤＩについての要求を前記基地局に送信することと、
前記ユニキャスト接続上で前記基地局から前記追加のＳＤＩを受信することと
をさらに備える、［Ｃ１］に記載の方法。
［Ｃ７］
前記部分的ＳＤＩが、前記ニュートラルホストネットワークをサポートする１つまたは複数のサービスプロバイダまたはモバイルネットワーク事業者パブリックランドモバイルネットワークのインジケーションを備え、前記追加のＳＤＩは、オンライン証明プロビジョニングが前記１つまたは複数のサービスプロバイダのために利用可能であるかどうか、前記１つまたは複数のサービスプロバイダがオンラインサインアップを提供するかどうか、前記基地局によって提供される１つまたは複数のサービス、前記基地局によって提供される１つまたは複数のアクセスポイント名、または前記１つまたは複数のサービスプロバイダのためのアイコンのインジケーションのうちの少なくとも１つまたは複数を備える、［Ｃ６］に記載の方法。
［Ｃ８］
前記ＳＤＩが、前記ニュートラルホストネットワークをサポートする１つまたは複数のサービスプロバイダまたはモバイルネットワーク事業者パブリックランドモバイルネットワークのインジケーションを備える、［Ｃ１］に記載の方法。
［Ｃ９］
前記ＳＤＩは、オンライン証明プロビジョニングが前記１つまたは複数のサービスプロバイダのために利用可能であるかどうか、前記１つまたは複数のサービスプロバイダがオンラインサインアップを提供するかどうか、前記基地局によって提供される１つまたは複数のサービス、前記基地局によって提供される１つまたは複数のアクセスポイント名、または前記１つまたは複数のサービスプロバイダのためのアイコンのインジケーションのうちの少なくとも１つまたは複数をさらに備える、［Ｃ８］に記載の方法。
［Ｃ１０］
ワイヤレスアクセスのための１つまたは複数の基地局の選択を可能にするように構成されたユーザインターフェース上で与えられる前記１つまたは複数の基地局のリスト中に前記基地局を表示することをさらに備え、ここにおいて、１つまたは複数の基地局の前記リスト中に前記基地局を表示することが、前記ＳＤＩに少なくとも部分的に基づく、［Ｃ１］に記載の方法。
［Ｃ１１］
前記ユーザインターフェースを介した前記１つまたは複数の基地局の選択に基づいて、前記１つまたは複数の基地局との接続を開始することをさらに備える、［Ｃ１０］に記載の方法。
［Ｃ１２］
前記ＳＤＩ中の好ましいサービスプロバイダまたは好ましいモバイルネットワーク事業者パブリックランドモバイルネットワークおよび対応する好ましいサービスを識別することと、
前記好ましいサービスプロバイダまたは前記好ましいモバイルネットワーク事業者パブリックランドモバイルネットワークおよび前記対応する好ましいサービスにアクセスするために、前記基地局との接続を開始することと
をさらに備える、［Ｃ１］に記載の方法。
［Ｃ１３］
前記キャリアを監視することは、前記基地局がＳＤＩを送信するようにスケジュールされていることを示す前記基地局によってブロードキャストされるシステム情報ブロックまたはマスタ情報ブロックについて前記キャリアを監視することを備える、［Ｃ１］に記載の方法。
［Ｃ１４］
ニュートラルホストネットワークにおいてサービス発見情報（ＳＤＩ）を通信するための装置であって、
トランシーバと、
前記ニュートラルホストネットワークにおいて信号を通信するためにバスを介して前記トランシーバと通信可能に結合された少なくとも１つのプロセッサと、
前記バスを介して前記少なくとも１つのプロセッサおよび／または前記トランシーバと通信可能に結合されたメモリと
を備え、
ここにおいて、前記少なくとも１つのプロセッサは、
前記ニュートラルホストネットワークに関連する基地局を検出することと、
前記トランシーバを介して、前記基地局が前記ニュートラルホストネットワークについてのＳＤＩを送信するようにスケジュールされていることを示すＳＤＩインジケータを含む前記基地局によるブロードキャストについてキャリアを監視することと、
前記トランシーバを介して、前記ＳＤＩインジケータに基づいて前記基地局による追加のブロードキャスト中で前記ＳＤＩを受信することと
を行うように構成された、装置。
［Ｃ１５］
前記少なくとも１つのプロセッサは、前記ブロードキャスト中でニュートラルホストネットワーク情報を受信することに少なくとも部分的に基づいて、前記基地局が前記ニュートラルホストネットワークに関連することを検出するように構成され、ここにおいて、前記ニュートラルホストネットワーク情報が、前記基地局を前記ニュートラルホストネットワークに関連するものとして識別する、［Ｃ１４］に記載の装置。
［Ｃ１６］
前記少なくとも１つのプロセッサは、前記基地局が前記ＳＤＩをブロードキャストするようにスケジュールされていないことを前記ＳＤＩインジケータが示すと決定することに少なくとも部分的に基づいて、前記ＳＤＩをブロードキャストするようにとのＳＤＩ要求を前記基地局に送信するようにさらに構成された、［Ｃ１４］に記載の装置。
［Ｃ１７］
前記少なくとも１つのプロセッサは、部分的ＳＤＩを受信するように構成され、
前記基地局とのユニキャスト接続を確立することと、
前記ユニキャスト接続上で送られる物理ランダムアクセスチャネル（ＰＲＡＣＨ）メッセージ中で追加のＳＤＩについての要求を前記基地局に送信することと、
前記ユニキャスト接続上で前記基地局から前記追加のＳＤＩを受信することと
を行うようにさらに構成された、［Ｃ１４］に記載の装置。
［Ｃ１８］
前記ＳＤＩが、前記ニュートラルホストネットワークをサポートする１つまたは複数のサービスプロバイダまたはモバイルネットワーク事業者パブリックランドモバイルネットワークのインジケーションを備える、［Ｃ１４］に記載の装置。
［Ｃ１９］
前記少なくとも１つのプロセッサは、ワイヤレスアクセスのための１つまたは複数の基地局の選択を可能にするように構成されたユーザインターフェース上で与えられる前記１つまたは複数の基地局のリスト中に前記基地局を表示するようにさらに構成され、ここにおいて、１つまたは複数の基地局の前記リスト中に前記基地局を表示することが、前記ＳＤＩに少なくとも部分的に基づく、［Ｃ１４］に記載の装置。
［Ｃ２０］
前記少なくとも１つのプロセッサが、
前記ＳＤＩ中の好ましいサービスプロバイダまたは好ましいモバイルネットワーク事業者パブリックランドモバイルネットワークおよび対応する好ましいサービスを識別することと、
前記好ましいサービスプロバイダまたは前記好ましいモバイルネットワーク事業者パブリックランドモバイルネットワークおよび前記対応する好ましいサービスにアクセスするために、前記基地局との接続を開始することと
を行うようにさらに構成された、［Ｃ１４］に記載の装置。
［Ｃ２１］
前記少なくとも１つのプロセッサは、前記基地局がＳＤＩを送信するようにスケジュールされていることを示す前記基地局によってブロードキャストされるシステム情報ブロックまたはマスタ情報ブロックについて前記キャリアを監視するように構成された、［Ｃ１４］に記載の装置。
［Ｃ２２］
ニュートラルホストネットワークにおいてサービス発見情報（ＳＤＩ）を通信するための方法であって、
トランシーバによって、ユーザ機器（ＵＥ）からＳＤＩ要求を受信することと、
前記トランシーバによって、１つまたは複数の後続のブロードキャスト中で前記ＳＤＩの存在を示すＳＤＩインジケータをブロードキャストすることと、
前記トランシーバによって、前記ＳＤＩ要求を受信することに少なくとも部分的に基づいて前記１つまたは複数の後続のブロードキャスト中でＳＤＩをブロードキャストすることと、ここにおいて、前記１つまたは複数の後続のブロードキャストが、１つまたは複数のシステム情報ブロック（ＳＩＢ）または１つまたは複数のブロードキャストチャネルを含む、
を備える、方法。
［Ｃ２３］
前記ＳＤＩ要求を受信することが、前記ＳＤＩ要求を示すための値を有する物理ランダムアクセスチャネル（ＰＲＡＣＨ）要求を前記ＵＥから受信することを備える、［Ｃ２２］に記載の方法。
［Ｃ２４］
前記ＳＤＩをブロードキャストすることが、前記ＳＤＩ要求に応答して前記ＳＤＩの部分的セットをブロードキャストすることを含み、
前記ＵＥとのユニキャスト接続を確立することと、
前記ユニキャスト接続上で前記ＵＥから後続のＳＤＩ要求中で追加のＳＤＩについての要求を受信することと、
前記ユニキャスト接続上で前記追加のＳＤＩを送信することと
をさらに備える、［Ｃ２２］に記載の方法。
［Ｃ２５］
前記ＳＤＩをブロードキャストする前の持続時間を決定することをさらに備え、ここにおいて、前記ＳＤＩをブロードキャストすることが、前記持続時間の後に行われる、［Ｃ２２］に記載の方法。
［Ｃ２６］
前記ＳＤＩが、前記ニュートラルホストネットワークをサポートする１つまたは複数のサービスプロバイダまたはモバイルネットワーク事業者パブリックランドモバイルネットワークのインジケーションを備える、［Ｃ２２］に記載の方法。
［Ｃ２７］
前記ＳＤＩは、オンライン証明プロビジョニングが前記１つまたは複数のサービスプロバイダのために利用可能であるかどうか、前記１つまたは複数のサービスプロバイダがオンラインサインアップを提供するかどうか、提供される１つまたは複数のサービス、提供される１つまたは複数のアクセスポイント名、または前記１つまたは複数のサービスプロバイダのためのアイコンのインジケーションをさらに備える、［Ｃ２６］に記載の方法。
［Ｃ２８］
ニュートラルホストネットワークにおいてサービス発見情報（ＳＤＩ）を通信するための装置であって、
トランシーバと、
前記ニュートラルホストネットワークにおいて信号を通信するためにバスを介して前記トランシーバと通信可能に結合された少なくとも１つのプロセッサと、
前記バスを介して前記少なくとも１つのプロセッサおよび／または前記トランシーバと通信可能に結合されたメモリと
を備え、
ここにおいて、前記少なくとも１つのプロセッサは、
前記トランシーバを介して、ユーザ機器（ＵＥ）からＳＤＩ要求を受信することと、    前記トランシーバを介して、１つまたは複数の後続のブロードキャスト中で前記ＳＤＩの存在を示すＳＤＩインジケータをブロードキャストすることと、
前記トランシーバを介して、前記ＳＤＩ要求を受信することに少なくとも部分的に基づいて前記１つまたは複数の後続のブロードキャスト中でＳＤＩをブロードキャストすることと、ここにおいて、前記１つまたは複数の後続のブロードキャストが、１つまたは複数のシステム情報ブロック（ＳＩＢ）または１つまたは複数のブロードキャストチャネルを含む、
を行うように構成された、装置。
［Ｃ２９］
前記少なくとも１つのプロセッサが、前記ＳＤＩ要求を示すための値を有する物理ランダムアクセスチャネル（ＰＲＡＣＨ）要求中の前記ＳＤＩ要求を前記ＵＥから受信するように構成された、［Ｃ２８］に記載の装置。
［Ｃ３０］
前記少なくとも１つのプロセッサが、前記ＳＤＩ要求に応答して前記ＳＤＩの部分的セットとして前記ＳＤＩをブロードキャストするように構成され、ここにおいて、前記少なくとも１つのプロセッサが、
前記ＵＥとのユニキャスト接続を確立することと、
前記ユニキャスト接続上で前記ＵＥから後続のＳＤＩ要求中で追加のＳＤＩについての要求を受信することと、
前記ユニキャスト接続上で前記追加のＳＤＩを送信することと
を行うようにさらに構成された、［Ｃ２８］に記載の装置。